(57)【要約】【課題】本発明は、光ディスク装置及びカメラシステムに関し、例えば取材現場で、テレビジョンカメラより得られるビデオ信号を処理するフィールド編集システムに適用して、素材の管理、ハンドリングを簡略化できるようにする。【解決手段】本発明は、１のビデオ信号を符号化処理して１の光ディスクに記録する際に、データ量の異なる２系統の符号化データを生成して記録する。【選択図】        図１
2006197615.tif 000002
【特許請求の範囲】
【請求項１】
入力されたビデオ信号をデータ圧縮処理して第１の符号化データを生成する第１のビデオデータ処理手段と、
前記第１の符号化データに比して発生データ量が小さくなるように、前記ビデオ信号をデータ圧縮処理して第２の符号化データを生成する第２のビデオデータ処理手段と、
前記第２の符号化データを外部に出力するとともに、この第２の符号化データに基づいて作成された編集リストを取得する伝送手段と、
前記第１及び第２の符号化データによる素材及び、前記編集リストを光ディスクに記録する記録手段と
を備えたことを特徴とする光ディスク装置。
【請求項２】
前記伝送手段は、
パーソナルコンピュータが接続される所定のインターフェース回路を含む
ことを特徴とする請求項１に記載の光ディスク装置。
【請求項３】
前記伝送手段は、
電話回線を介して前記第２の符号化データを放送局に送出するためのモデムを含む
ことを特徴とする請求項１に記載の光ディスク装置。
【請求項４】
前記光ディスクから前記素材を再生する再生手段と、
オペレータの操作に応じて前記再生手段に前記編集リストに従った再生動作を行わせる制御手段とを更に備えた
ことを特徴とする請求項１に記載の光ディスク装置。
【請求項５】
前記記録手段によって前記第１及び第２の符号化データの記録位置情報や履歴情報を含む管理用データが前記光ディスクに記録され、
前記伝送手段は、
前記第２の符号化データとともに前記管理用データを送出する
ことを特徴とする請求項１に記載の光ディスク装置。
【請求項６】
カメラユニットより出力されるビデオ信号をデータ圧縮処理して第１の符号化データを生成する第１のビデオデータ処理手段と、
前記第１の符号化データに比して発生データ量が小さくなるように、前記ビデオ信号をデータ圧縮処理して第２の符号化データを生成する第２のビデオデータ処理手段と、
前記第１及び第２の符号化データによる素材を光ディスクに記録する記録手段と、
前記光ディスクに記録された素材を再生してモニタに出力する再生手段と、
前記再生手段によって再生された前記第２の符号化データに対してオペレータが編集点を設定するための操作子と、
設定された前記編集点に応じて編集リストを作成し、前記記録手段を制御して編集リストを前記光ディスクに記録するとともに、この編集リストに従って前記再生手段の動作を制御する制御手段と
を備えたことを特徴とするカメラシステム。
【請求項７】
前記第２の符号化データを外部に出力するとともに、この第２の符号化データに基づいて作成された編集リストを取得する伝送手段を更に備えた
ことを特徴とする請求項６に記載のカメラシステム。
【請求項８】
前記制御手段は、
前記伝送手段によって取得された編集リストを、オペレータによる前記編集点の変更に対応して更新する
ことを特徴とする請求項７に記載のカメラシステム。
【発明の詳細な説明】
【技術分野】
【０００１】
本発明は、光ディスク装置及びカメラシステムに関し、例えば取材現場で、テレビジョンカメラより得られるビデオ信号を処理するフィールド編集システムに適用することができる。本発明は、１のビデオ信号を符号化処理して１の光ディスクに記録する際に、データ量の異なる２系統の符号化データを生成して記録することにより、素材の管理、ハンドリングを簡略化できるようにする。
【背景技術】
【０００２】
従来、ビデオテープレコーダを用いた編集作業においては、素材テープより作成した作業用テープにより編集リスト（ＥＤＬ：Edit Decision List）を作成するようになされている。
【０００３】
すなわち取材現場では、例えばカメラ一体型ビデオテープレコーダにより所望の被写体を撮像し、撮像結果でなる取材内容を磁気テープに記録する。編集作業では、この磁気テープが素材テープとして取り扱われ、この素材テープを低解像度により磁気テープにダビングして作業用テープが作成される。
【０００４】
さらにこの低画質の作業用テープを用いたオフライン編集により編集リストを作成し、この編集リストにより素材テープを用いたオンライン編集作業が実行される。これらにより従来の編集作業では、簡易なシステムにより編集リストを作成できるようになされている。
【０００５】
ところがこのように素材テープより作業用テープを作成して編集作業する場合、素材の管理、ハンドリングが煩雑になる問題がある。
【特許文献１】特開平６−３３９１１３号公報
【発明の開示】
【発明が解決しようとする課題】
【０００６】
本発明は以上の点を考慮してなされたもので、従来に比して素材の管理、ハンドリングを簡略化することができる光ディスク装置及びカメラシステムを提案しようとするものである。
【課題を解決するための手段】
【０００７】
かかる課題を解決するため請求項１の発明は、光ディスク装置に適用して、入力されたビデオ信号をデータ圧縮処理して第１の符号化データを生成する第１のビデオデータ処理手段と、前記第１の符号化データに比して発生データ量が小さくなるように、前記ビデオ信号をデータ圧縮処理して第２の符号化データを生成する第２のビデオデータ処理手段と、前記第２の符号化データを外部に出力するとともに、この第２の符号化データに基づいて作成された編集リストを取得する伝送手段と、前記第１及び第２の符号化データによる素材及び、前記編集リストを光ディスクに記録する記録手段とを備えるようにする。
【０００８】
また請求項６の発明は、カメラシステムに適用して、カメラユニットより出力されるビデオ信号をデータ圧縮処理して第１の符号化データを生成する第１のビデオデータ処理手段と、前記第１の符号化データに比して発生データ量が小さくなるように、前記ビデオ信号をデータ圧縮処理して第２の符号化データを生成する第２のビデオデータ処理手段と、前記第１及び第２の符号化データによる素材を光ディスクに記録する記録手段と、前記光ディスクに記録された素材を再生してモニタに出力する再生手段と、前記再生手段によって再生された前記第２の符号化データに対してオペレータが編集点を設定するための操作子と、設定された前記編集点に応じて編集リストを作成し、前記記録手段を制御して編集リストを前記光ディスクに記録するとともに、この編集リストに従って前記再生手段の動作を制御する制御手段とを備えるようにする。
【０００９】
請求項１の構成により、光ディスク装置に適用して、入力されたビデオ信号をデータ圧縮処理して第１の符号化データを生成する第１のビデオデータ処理手段と、前記第１の符号化データに比して発生データ量が小さくなるように、前記ビデオ信号をデータ圧縮処理して第２の符号化データを生成する第２のビデオデータ処理手段と、前記第２の符号化データを外部に出力するとともに、この第２の符号化データに基づいて作成された編集リストを取得する伝送手段と、前記第１及び第２の符号化データによる素材及び、前記編集リストを光ディスクに記録する記録手段とを備えるようにすれば、従来のビデオテープレコーダにおける素材テープの内容と作業用テープの内容とを１の記録媒体に格納することができる。これらにより１の光ディスクを管理、ハンドリングして、第２の符号化データにより簡易に編集リストを作成し、この編集リストにより第１の符号化データを編集することができる。
【００１０】
また請求項６の構成によれば、従来に比して素材の管理、ハンドリングを簡略化することができるカメラシステムを提供することができる。
【発明の効果】
【００１１】
本発明によれば、１のビデオ信号を符号化処理して１の光ディスクに記録する際に、データ量の異なる２系統の符号化データを生成して記録することにより、素材の管理、ハンドリングを簡略化することができる。
【発明を実施するための最良の形態】
【００１２】
以下、適宜図面を参照しながら本発明の実施例を詳述する。
【実施例１】
【００１３】
（１）第１の実施例
（１−１）第１の実施例の構成
図２は、第１の実施例に係る編集システムに適用される光ディスクを示す平面図である。この光ディスク１は、所定のカートリッジ１Ａに収納して保持され、これにより塵等の進入を低減できるようになされている。さらに光ディスク１は、テレビジョンカメラ、光ディスク装置等の機器に装填されると、このカートリッジ１Ａに配置されたシャッターがスライドして情報記録面が露出するように形成され、これによりテレビジョンカメラ、光ディスク装置等によりアクセスできるようになされている。
【００１４】
この光ディスク１は、両面に情報記録面を形成した、書き換え可能ないわゆる相変化型の光ディスクでなり、レーザービームのガイド溝を担うプリグルーブが蛇行して形成され、レーザービーム照射位置におけるこのプリグルーブの蛇行周期が一定周期になるように回転駆動して、ＺＣＬＶ（Zone Constant Linear Verocity)線速度一定の条件により光ディスク１を回転駆動できるようになされている。
【００１５】
この光ディスク１は、内周側に、システムデータ領域ＡＲＳが形成される。ここでシステムデータ領域ＡＲＳは、同心円状に３つの領域ＡＲＳＡ、ＡＲＳＢ、ＡＲＳＣに分割され、最内周の領域ＡＲＳＡに、この光ディスクの製造時に記録された管理用データが記録される。ここでこの管理用データは、光ディスク１へのデータ記録時における最適光量、光ディスク１で共通のシリアル番号、各光ディスク１にそれぞれ割り当てられた固有の識別データ等により構成される。
【００１６】
続く外周側の領域ＡＲＳＢには、光ディスク１に記録したビデオ信号及びオーディオ信号の管理用データが記録される。ここで管理用データは、各ビデオ信号及びオーディオ信号のアクセスに必要なデータ、復号に必要なデータ、撮像時の条件のデータ、カメラマンにより設定される編集可能ファイルか否かの識別データ等により構成される。
【００１７】
このうちアクセスに必要なデータは、ビデオ信号及びオーディオ信号による各ファイルの記録開始位置、記録終了位置でなるアドレス情報、記録開始時点及び記録終了時点のタイムコード等により構成される。また復号に必要なデータは、ビデオ信号及びオーディオ信号のフォーマット、オーディオ信号のサンプリングレート、圧縮／非圧縮の識別データ等により構成される。撮像時の条件のデータは、撮像した日時、場所、カメラマンの名前、テレビジョンカメラのセッティングデータにより構成され、セッティングデータは、テレビジョンカメラに設定されたホワイトバランス、利得、オーディオ信号のレベル設定、絞りのデータ等が記録される。これにより光ディスク１では、この領域ＡＲＳＢに記録された管理用データにより、光ディスク１に記録された各ファイルの履歴等を確認できるようになされている。
【００１８】
続く外周側の領域ＡＲＳＣは、編集用のデータが記録される。ここでこの編集用のデータは、ファイル形式により記録され、この光ディスク１に記録された各ファイルを編集する編集リストが記録される。なおこの編集リストは、各ファイルについて設定された編集点のデータが、タイムコード及びアドレスにより、遷移の形態（例えばカット編集、クロスフェード等）と共に、再生順序に記録されて形成される。これにより光ディスク１は、所望の編集リストを選択して、この選択した編集リストに従って記録した取材内容を順次再生できるようになされている。
【００１９】
これに対して外周側の領域ＡＲＵは、ユーザー領域に割り当てられ、ディジタルビデオ信号及びディジタルオーディオ信号が記録される。ここでユーザー領域ＡＲＵは、同心円状に小領域ＡＲＵ１、ＡＲＵ２、……に分割される。さらに各小領域ＡＲＵ１、ＡＲＵ２、……は、同心円状に５つの領域に分割され、これら５つの領域の最外周の領域がディジタルビデオ信号Ｖ１の記録領域に割り当てられ、内周側の各領域が、それぞれ４チャンネルのディジタルオーディオ信号Ａ１〜Ａ４の記録領域に割り当てられる。これによりこの光ディスク１では、例えば被写体を撮像する際の被写体及び周囲の音声（以下環境音と呼ぶ）、アナウンサーによる解説の音声、種々の言語による解説の音声、バックグラウンドミュージック等を、ディジタルビデオ信号に対応して記録できるようになされている。
【００２０】
この実施例では、このようにして割り当てられた各小領域ＡＲＵ１、ＡＲＵ２、……が、外周側より、順次循環的に、第１及び第２のビデオ信号の系統に割り当てられるようになされている。
【００２１】
図１は、この編集システムに適用されるテレビジョンカメラの記録系を示すブロック図である。このテレビジョンカメラ２は、カメラユニットより出力されるディジタルビデオ信号ＳＶＡ、オーディオ信号ＳＡＡを光ディスク１に記録する。
【００２２】
すなわちこのテレビジョンカメラ２において、光ピックアップ３は、図示しないスレッド機構により光ディスク１の半径方向に可動し、これにより光ディスク１の所望の領域をアクセスできるようになされている。また光ピックアップ３は、光ディスク１にレーザービームを照射し、その戻り光の受光結果よりトラッキング制御、フォーカス制御され、さらに戻り光の光量に応じて信号レベルが変化する再生信号を生成して出力する。
【００２３】
また光ピックアップ３は、レーザービームの光量に応じて信号レベルが変化するレーザービーム光量のモニタ信号を出力し、このモニタ信号の信号レベルを基準にしたサーボ回路の制御により、チャンネルコーディング回路４より出力される駆動信号ＳＲ等に応じて、再生時の光量からピット形成の最適光量にレーザービームの光量を間欠的に立ち上げる。これによりテレビジョンカメラ２は、レーザービームの光量を間欠的に立ち上げて、光ディスク１に所望のデータを熱記録する。
【００２４】
このデータ記録の際に、光ピックアップ３は、ユーザー領域ＡＲＵの各領域を順次循環的にシークし、かつ各領域においては外周側より順次内周側に変位してディジタルビデオ信号及びディジタルオーディオ信号を光ディスク１に熱記録する。これによりテレビジョンカメラ２では、光ディスク１を角速度一定の条件により回転駆動した際に、高転送レートにより記録されたデータを再生することができる外周側領域より、順次ディジタルビデオ信号及びディジタルオーディオ信号を光ディスク１に記録するようになされている。
【００２５】
スピンドルモータ５は、図示しないサーボ回路の制御により、記録時、ＺＣＬＶの条件により光ディスク１を回転駆動し、再生時、記録時に比して高回転速度の角速度一定の条件により光ディスク１を回転駆動する。これによりテレビジョンカメラ２では、再生時、高転送速度により得られる再生信号を間欠的に処理して連続したビデオ信号及びオーディオ信号を再生できるようになされ、また間欠的に処理して発生する待ち時間を利用して光ピックアップ３をシークさせることができるようになされている。
【００２６】
ビデオプロセス回路６Ａは、ディジタルビデオ信号ＳＶＡを受け、このディジタルビデオ信号ＳＶＡの信号レベルを補正し、またブランキング期間等の不要なデータを除去して出力する。
【００２７】
データ圧縮回路７Ａは、このビデオプロセス回路６Ａより出力されるディジタルビデオ信号をＭＰＥＧ（Moving Picture Experts Group）に規定のフォーマットにより順次データ圧縮し、符号化データＤＶＡを出力する。このときデータ圧縮回路７Ａは、例えばデータ圧縮単位でなるＧＯＰ（Group Of Pictures ）を単位にして、符号化データＤＶＡが一定データ量になるように、ディジタルビデオ信号をデータ圧縮する。
【００２８】
ビデオプロセス回路６Ｂは、ディジタルビデオ信号ＳＶＡの信号レベルを補正し、またブランキング期間等の不要なデータを除去して出力する。このときビデオプロセス回路６Ｂは、ローパスフィルタによりディジタルビデオ信号ＳＶＡの高域を抑圧し、これによりディジタルビデオ信号ＳＶＡの解像度を低減して出力する。
【００２９】
データ圧縮回路７Ｂは、このビデオプロセス回路６Ｂより出力されるディジタルビデオ信号をＭＰＥＧに規定のフォーマットにより順次データ圧縮し、符号化データＤＶＢを出力する。このときデータ圧縮回路７Ｂは、量子化テーブルの設定によりデータ圧縮回路７Ａに比してデータ圧縮率を増大させ、符号化データＤＶＡのデータ量に対して、発生データ量が約１／１０になるようにディジタルビデオ信号をデータ圧縮する。
【００３０】
アナログディジタル変換回路（Ａ／Ｄ）８Ａは、オーディオ信号ＳＡＡをアナログディジタル変換処理し、オーディオデータを出力する。なおこのオーディオ信号ＳＡＡは、このテレビジョンカメラ２に配置されたマイクにより取得されたものであり、アナログディジタル変換回路８Ａは、オペレータの設定により例えば４８〔ｋＨｚ〕／１６〔Ｂｉｔ〕、４４〔ｋＨｚ〕／８〔Ｂｉｔ〕等のサンプリングレートによりアナログディジタル変換処理する。
【００３１】
パッキング回路９Ａは、アナログディジタル変換回路８Ａより出力されるオーディオデータを所定のデータ単位でブロック化して出力する。このときパッキング回路９Ａは、オペレータの選択により、オーディオデータをデータ圧縮して出力する。
【００３２】
アナログディジタル変換回路８Ｂは、アナログディジタル変換回路８Ａに比して低サンプリングレートのサンプリングレートによりオーディオ信号ＳＡＡをアナログディジタル変換処理し、これによりアナログディジタル変換回路８Ａに比して、音質の劣化してなるオーディオデータを出力する。
【００３３】
パッキング回路９Ｂは、アナログディジタル変換回路８Ｂより出力されるオーディオデータを所定のデータ単位でブロック化して出力する。このときパッキング回路９Ｂは、パッキング回路９Ａにおける処理に対応してオーディオデータをデータ圧縮して出力する。
【００３４】
メモリ１１は、大容量のバッファメモリでなり、メモリ制御回路１０のアドレス制御により、データ圧縮回路７Ａ、７Ｂより出力される符号化データＤＶＡ、ＤＶＢ、パッキング回路９Ａ、９Ｂより出力されるオーディオデータＤＡＡ、ＤＡＢを順次取り込んで一時保持する。さらにメモリ１１は、符号化データＤＶＡ、ＤＶＢ、オーディオデータＤＡＡ、ＤＡＢを所定の時間間隔で区切って順次ブロック化し、これらブロック単位で符号化データＤＶＡ、ＤＶＢ、オーディオデータＤＡＡ、ＤＡＢを時分割多重化して出力する。ここでこの時間間隔は、符号化データＤＶＡ、ＤＶＢの複数ＧＯＰに対応する期間に設定される。このときメモリ１１は、光ピックアップ３のシークに充分な時間間隔を間に挟んで、これら符号化データＤＶＡ、ＤＶＢ、対応するオーディオデータＤＡＡ、ＤＡＢを順次時分割多重化する。
【００３５】
ＥＣＣ回路１３は、この時分割多重化されたデータに誤り訂正符号、タイムコード等を付加した後、インターリーブ処理して出力する。このときＥＣＣ回路１３は、符号化データＤＶＡ、ＤＶＢについては１ＧＯＰを、オーディオデータＤＡＡ、ＤＡＢについては、この１ＧＯＰに対応するデータ量を誤り訂正処理単位でなるＥＣＣデータブロックに設定し、各ＥＣＣデータブロックに、それぞれ積符号形式の誤り訂正符号を付加する。
【００３６】
チャンネルコーディング回路４は、光ディスク１の記録に適した変調方式により、このＥＣＣ回路１３の出力データを変調した後、シリアルデータに変換して駆動信号ＳＲを生成する。これらによりテレビジョンカメラ２では、所定の時間間隔を間に挟んで、符号化データＤＶＡによる駆動信号ＳＲ、符号化データＤＶＢによる駆動信号ＳＲ、オーディオデータＤＡＡによる駆動信号ＳＲ、オーディオデータＤＡＢによる駆動信号ＳＲが所定順序で順次循環的に出力されるようになされ、この駆動信号ＳＲの出力に対応して光ピックアップ３をシークさせて、光ディスク１の対応する領域を順次循環的にアクセスすることにより、ビデオ信号ＳＶＡによる解像度の異なる符号化データＤＶＡ、ＤＶＢ、オーディオ信号ＳＡＡによる音質の異なるオーディオデータＤＡＡ、ＤＡＢを順次循環的に光ディスク１に記録するようになされている。これによりこのテレビジョンカメラ２では、ビデオ信号ＳＶＡによる解像度の異なる符号化データＤＶＡ、ＤＶＢ、オーディオ信号ＳＡＡによる音質の異なるオーディオデータＤＡＡ、ＤＡＢを１の記録媒体に記録して、従来に比してこれら符号化データＤＶＡ、ＤＶＢ、オーディオデータＤＡＡ、ＤＡＢによる各素材の管理を簡略化できるようになされている。
【００３７】
システム制御回路１５は、このテレビジョンカメラ２の動作を制御するマイクロコンピュータにより構成され、光ディスク１が装填されると、又は電源が立ち上げられると、サーボ回路を制御して光ピックアップ３を光ディスク１の内周側にシークさせ、光ディスク１のシステムデータ領域ＡＲＳに記録された管理用データ１６を取得する。
【００３８】
システム制御回路１５は、カメラマンの操作に応動して、上述した解像度及び音質の異なる系統によりビデオ信号ＳＶＡ、オーディオ信号ＳＡＡを光ディスク１に記録する。このときシステム制御回路１５は、取得した管理用データ１６により光ディスク１の空き領域等を検出し、この検出結果に基づいて光ピックアップ３のアクセスを制御する。
【００３９】
またシステム制御回路１５は、光ディスク１へのビデオ信号、オーディオ信号の記録が完了すると、このビデオ信号及びオーディオ信号の記録開始位置、記録終了位置を示すアドレス、記録開始時、記録終了時のタイムコード等により管理用データを生成し、この管理用データを光ディスク１より取得した管理用データ１６に追加する。このときシステム制御回路１５は、撮像時の条件のデータ、オーディオデータＤＡＡ、ＤＡＢのサンプリングレート、圧縮／非圧縮の識別データ、ディジタルビデオ信号ＳＶＡのフォーマット、オペレータの操作により入力された撮像時の条件のデータ等を付加して管理用データを生成する。
【００４０】
さらにシステム制御回路１５は、このようにして更新した管理用データ１６が光ディスク１のシステムデータ領域ＡＲＳの管理用データと一致するように、所定のタイミングで光ピックアップ３をシステムデータ領域ＡＲＳにシークさせ、システムデータ領域ＡＲＳを更新する。
【００４１】
これらによりテレビジョンカメラ２では、複数の素材を記録した光ディスク１に、これら素材の管理に必要なデータを記録するようになされ、これら素材のハンドリングを簡略化できるようになされている。
【００４２】
なおテレビジョンカメラ２は、この図１に示す記録系に加えて、再生系を有し、光ディスク１に記録した内容を例えばビューファーにより確認できるようになされている。
【００４３】
図３は、光ディスク装置の再生系を示すブロック図である。この光ディスク装置２０は、このようにして光ディスク１に記録されたビデオ信号及びオーディオ信号を編集するビュアーであり、オペレータの操作により編集リストを作成し、オペレータの操作に応動してこの作成した編集リストに従って編集結果を出力する。またこれに代えて、低解像度による符号化データを放送局に伝送し、この符号化データにより放送局で作成された編集リストを取得する。さらにこの取得した編集リストに従って編集結果を送出する。また低解像度によるビデオデータをパーソナルコンピュータに出力し、このパーソナルコンピュータで作成した編集リストを、又はパーソナルコンピュータの制御により作成した編集リストを光ディスク１に記録し、編集結果を出力する。
【００４４】
この光ディスク装置２０において、スピンドルモータ２１は、図示しないサーボ回路の制御により、光ディスク１を角速度一定の条件により回転駆動する。このときスピンドルモータ２１は、記録時の最高速度より高速度の回転速度により、光ディスク１を回転駆動する。
【００４５】
光ピックアップ２２は、システム制御回路２３の制御により、光ディスク１の半径方向に可動し、これにより光ディスク１の所望の領域をアクセスする。また光ピックアップ２２は、光ディスク１にレーザービームを照射し、その戻り光の受光結果よりトラッキング制御、フォーカス制御され、さらに戻り光の光量に応じて信号レベルが変化する再生信号ＲＦを生成して出力する。光ピックアップ２２は、再生時、記録時の最高速度より高速度の回転速度により光ディスク１が回転駆動されることにより、この光ディスク１の回転速度に対応する高転送速度の再生信号ＲＦを出力する。
【００４６】
さらに再生時、光ピックアップ２２は、低解像度によるビデオ信号を再生する場合は、符号化データＤＶＢによる再生信号ＲＦとオーディオデータＤＡＢによる再生信号ＲＦとが順次交互に連続するように、また高解像度によるビデオ信号を再生する場合は、符号化データＤＶＡによる再生信号ＲＦとオーディオデータＤＡＡによる再生信号ＲＦとが順次交互に連続するように、所定の時間間隔で、ユーザー領域ＡＲＵの各小領域を順次循環的にシークする。
【００４７】
この再生系は、図示しない再生信号処理回路において、この再生信号ＲＦよりクロックを再生し、このクロックを基準にして再生信号ＲＦをアナログディジタル変換処理してディジタル再生信号を生成する。さらに再生系は、ＰＲＭＬ（Partial Response Maximum Likelihood ）の手法を適用してこのディジタル再生信号を処理し、チャンネルコーディング回路４より出力される駆動信号ＳＲ（図１）に対応する再生データを生成する。
【００４８】
チャンネルデコーディング回路２４は、この再生データよりＥＣＣ回路１３の出力データを復号して出力する。ＥＣＣデコード回路２５は、チャンネルデコーディング回路２４の出力データを誤り訂正処理し、またデインターリーブ処理して出力する。この実施例では、光ピックアップ２２が所定の時間間隔により順次シークすることにより、ＥＣＣデコード回路２５は、符号化データＤＶＡ又はＤＶＢによるＥＣＣデータブロックと、オーディオデータＤＡＡ又はＤＡＢによるＥＣＣデータブロックとを、この光ピックアップ２２のアクセスに対応して、所定ブロック単位で交互に誤り訂正処理して符号化データＤＶＡ又はＤＶＢ、オーディオデータＤＡＡ又はＤＡＢを出力することになる。またこのとき光ディスク１の回転速度に対応した高転送速度により出力することになる。
【００４９】
メモリ２６は、大容量のバッファメモリでなり、メモリ制御回路２７のアドレス制御により、ＥＣＣデコード回路２５より出力される符号化データＤＶＡ又はＤＶＢ、オーディオデータＤＡＡ又はＤＡＢを取り込んで一時保持する。さらにメモリ２６は、取り込んだ符号化データＤＶＡ又はＤＶＢ、オーディオデータＤＡＡ又はＤＡＢを時間軸伸長し、それぞれ時系列により連続するようにデータ伸長回路２８、デパッキング回路２９に出力する。またシステム制御回路２３の制御により、符号化データＤＶＡ又はＤＶＢ、オーディオデータＤＡＡ又はＤＡＢを所定のブロック単位で交互に繰り返してモデム３０に出力する。
【００５０】
データ伸長回路２８は、メモリ制御回路２７を介して時系列により連続する符号化データＤＶＡ又はＤＶＢを受け、システム制御回路２３の設定により、データ伸長し、これにより解像度の高いビデオデータＤＶＡ１、又は解像度の低いビデオデータＤＶＢ１を復号する。さらにデータ伸長回路２８は、低解像度による符号化データＤＶＢ１については、オペレータの選択により所定のインターフェース回路を介して、この光ディスク装置２０に接続されたパーソナルコンピュータに出力する。
【００５１】
これにより光ディスク装置２０では、外部に接続したパーソナルコンピュータによっても、このパーソナルコンピュータとシステム制御回路２３との通信により、所望のビデオ信号をモニタできるようになされ、パーソナルコンピュータにより編集リストを作成し、またパーソナルコンピュータの制御によりシステム制御回路２３で編集リストを作成できるようになされている。
【００５２】
ビデオプロセス回路３１は、システム制御回路２３の設定により、このデータ伸長回路２８より出力されるビデオデータＤＶＡ１又はＤＶＢ１にブランキング等のデータを付加し、記録時のディジタルビデオ信号ＳＶＡ又はＳＶＢを再生する。さらにビデオプロセス回路３１は、このディジタルビデオ信号ＳＶＡ又はＳＶＢを、光ディスク装置２０に内蔵のモニタに表示し、また外部機器に出力する。
【００５３】
デパッキング回路２９は、メモリ制御回路２７を介して時系列により連続するオーディオデータＤＡＡ又はＤＡＢを受け、システム制御回路２３の設定によりこのオーディオデータＤＡＡ又はＤＡＢをパッキング回路９Ａ、９Ｂと逆のデータ処理により処理し、これにより高音質のオーディオデータＤＡＡ１、又は低音質のオーディオデータＤＡＢ１を復号する。デパッキング回路２９は、低音質のオーディオデータＤＡＢ１については、オペレータの選択により所定のインターフェース回路を介して、低解像度のビデオデータＤＶＢ１と共に、この光ディスク装置２０に接続されたパーソナルコンピュータに出力する。
【００５４】
ディジタルアナログ変換回路（Ｄ／Ａ）３２は、システム制御回路２３の制御により記録時のサンプリングレートによりデパッキング回路２９の出力データをディジタルアナログ変換処理し、これにより記録時のオーディオ信号ＳＡＡ又はＳＡＢを再生してスピーカーに出力する。
【００５５】
モデム３０は、メモリ制御回路２７を介して、低解像度の符号化データＤＶＢ、低音質のオーディオデータＤＡＢを受け、電話回線を介してこれらのデータＤＶＢ、ＤＡＢを放送局等に送出する。このときモデム３０は、システム制御回路２３が事前に取得したこれらデータＤＶＢ、ＤＡＢに対応する管理用データを併せて放送局等に伝送し、これにより伝送先で事前に編集リストを作成できるようにする。またモデム３０は、このようにして低解像度の符号化データＤＶＢ、低音質のオーディオデータＤＡＢにより作成された編集リストを電話回線を介して取得し、この編集リストをシステム制御回路２３に通知する。
【００５６】
システム制御回路２３は、この光ディスク装置２０の動作を制御するマイクロコンピュータにより構成され、光ディスク１が装填されると、又は電源が立ち上げられると、サーボ回路を制御して光ピックアップ３を光ディスク１の内周側にシークさせ、光ディスク１のシステムデータ領域ＡＲＳに記録された管理用データ１６を取得する。
【００５７】
システム制御回路２３は、この取得した管理用データ１６を基準にして、オペレータの操作に応動して、又はパーソナルコンピュータからの制御コマンドに応動して、光ピックアップ２２をシークさせると共にこの再生系の動作を制御し、これによりオペレータの所望するビデオ信号及びオーディオ信号を再生する。このときシステム制御回路２３は、オペレータの選択に対応して、低解像度又は高解像度によるビデオ信号、低音質又は高音質によるオーディオ信号を選択的に再生するように、光ピックアップ３を順次循環的にシークさせ、また管理用データに基づいてデータ伸長回路２８、デパッキング回路２９、ビデオプロセス回路３１、ディジタルアナログ変換回路３２の条件を設定する。
【００５８】
これによりシステム制御回路２３は、光ディスク１に記録されたビデオ信号及びオーディオ信号を内蔵のモニタ、スピーカーによりモニタできるようにし、また低解像度によるビデオデータＤＶＢ１、低音質によるオーディオデータＤＡＢ１をパーソナルコンピュータに出力できるようにする。
【００５９】
さらにこのビデオ信号及びオーディオ信号の再生において、システム制御回路２３は、この光ディスク装置２０に配置された操作子の操作により直接に、又はパーソナルコンピュータの操作により間接的に、オペレータによる編集点の設定を受け付け、この編集点により編集リスト３３を作成し、また編集リスト３３の変更を受け付ける。またオペレータがプレビューの操作を実行すると、この編集リスト３３に従って光ピックアップ２２をシークさせると共に再生系の動作を制御し、これにより編集リスト３３に従って光ディスク１を再生して編集結果を出力する。さらにオペレータの操作により、編集リスト３３が確定すると、システム制御回路２３は、この編集リスト３３を光ディスク１のシステムデータ領域ＡＲＳに記録する。
【００６０】
またシステム制御回路２３は、パーソナルコンピュータにおいて編集リストが作成された場合、オペレータの操作によりこの編集リスト３３を取得し、同様にしてプレビューの処理を実行すると共に、光ディスク１に編集リスト３３を記録する。
【００６１】
これに対して例えば光ディスク１に記録した内容を放送局に前もって伝送し、光ディスク１を放送局に持ち帰るまでの間で編集リストを作成するような場合、システム制御回路２３は、オペレータの操作により低解像度のビデオ信号、対応する低音質のオーディオ信号を光ディスク１より順次再生し、モデム３０を介して送出する。このとき管理用データ１６を併せてモデム３０より送出し、これにより低解像度のビデオ信号、低音質のオーディオ信号により、この光ディスク装置２０が保持してなる編集素材と同一の素材、編集作業の条件を放送局に提供する。
【００６２】
またシステム制御回路２３は、放送局等より編集リストが送出されると、モデム３０を介してこの編集リスト３３を取得する。さらにこの編集リスト３３に従って光ディスク１を再生し、その結果得られる高解像によるビデオ信号ＳＶＡ、高音質によるオーディオ信号ＳＡＡを、例えば外部機器でなる伝送装置に送出する。これによりシステム制御回路２３は、例えば事前に放送局により作成された編集リストに従って、ＳＮＧ回線等により編集結果を送出する。
（１−２）第１の実施例の動作
以上の構成において、テレビジョンカメラ２においては（図１）、光ディスク１が装填されると、光ピックアップ３が光ディスク１の内周側にシークし、内周側のシステムデータ領域ＡＲＳに記録された管理用データ１６がシステム制御回路１５に取得される。これによりシステム制御回路１５において、光ディスク１の記録可能領域が検出される。
【００６３】
テレビジョンカメラにおいては、カメラユニットで撮像されたビデオ信号ＳＶＡが、ビデオプロセス回路６Ａ、６Ｂにより所定の処理を受け、ビデオ信号ＳＶＡに対して解像度を低減してなるビデオ信号ＳＶＢが生成される。このビデオ信号ＳＶＡ及びＳＶＢは、続くデータ圧縮回路７Ａ及び７ＢによりそれぞれＭＰＥＧの手法によりデータ圧縮処理され、このときビデオ信号ＳＶＢが高データ圧縮率によりデータ圧縮される。これにより従来の素材テープに記録されたビデオ信号に対応する高解像度による符号化データＤＶＡと、従来の作業用テープに記録されたビデオ信号に対応する低解像度による符号化データＤＶＢとが、順次メモリ１１に蓄積される。
【００６４】
またビデオ信号ＳＶＡに対応するオーディオ信号ＳＡＡは、アナログディジタル変換回路８Ａ、８Ｂにおいて、高サンプリングレートによるオーディオデータと低サンプリングレートによるオーディオデータとに変換され、これらオーディオデータが続くパッキング回路９Ａ、９Ｂにおいて、それぞれ通常のデータ圧縮率によりデータ圧縮されたオーディオデータＤＡＡと、高データ圧縮率によりデータ圧縮されたオーディオデータＤＡＢに変換される。これにより従来の素材テープに記録されたオーディオ信号に対応する高音質によるオーディオデータＤＡＡと、従来の作業用テープに記録されたオーディオ信号に対応する低音質によるオーディオデータＤＡＢとが、順次メモリ１１に蓄積される。
【００６５】
このようにしてメモリ１１に一時蓄積された符号化データＤＶＡ、ＤＶＢ、オーディオデータＤＡＡ、ＤＡＢは、ＧＯＰを単位にした所定の時間間隔毎にブロック化されて時間軸圧縮され、この時間軸圧縮されたこれら符号化データＤＶＡ、ＤＶＢ、オーディオデータＤＡＡ、ＤＡＢが、光ピックアップ３のシークに要する時間間隔を間に挟んで、順次時分割多重化されてＥＣＣ回路１３に出力される。さらにＥＣＣ回路１３において、ＥＣＣデータブロック単位で誤り訂正符号が付加された後、チャンネルコーディング回路４により光ピックアップ３の駆動信号ＳＲに変換される。さらにこの駆動信号ＳＲにより光ピックアップ３から射出されるレーザービームの光量が再生時の光量から間欠的に立ち上げられ、これにより第１のビデオ信号ＳＶＡ、第２のビデオ信号ＳＶＢ、第１のビデオ信号ＳＶＡに対応するオーディオ信号ＳＡＡ、第２のビデオ信号ＳＶＢに対応するオーディオ信号ＳＡＢが所定順序で順次循環的に光ディスク１に記録される。
【００６６】
このとき光ディスク１の外周側より（図２）、第１のビデオ信号ＳＶＡの系統に割り当てられた小領域ＡＲＵ１の、ビデオ信号に割り当てられた領域、この小領域ＡＲＵ１の１チャンネルのオーディオ信号に割り当てられた領域、第２のビデオ信号ＳＶＢの系統に割り当てられた小領域ＡＲＵ２の、ビデオ信号に割り当てられた領域、この小領域ＡＲＵ２の１チャンネルのオーディオ信号に割り当てられた領域を、駆動信号ＳＲにおける順序に対応して順次循環的に光ピックアップ３がシークすることにより、またこの光ピックアップ３のシークに対応して光ディスク１がＺＣＬＶにより回転駆動されることにより、これら高解像度による符号化データＤＶＡ、低解像度による符号化データＤＶＢ、高音質によるオーディオ信号ＳＡＡ、低音質によるオーディオ信号ＳＡＢが、それぞれ対応する領域に順次循環的に記録される。
【００６７】
これらにより光ディスク装置２０では、１のビデオ信号ＳＶＡが、解像度の異なる符号化データＤＶＡ、ＤＶＢにより、また１のオーディオ信号ＳＡＡが異なる音質によるオーディオデータＤＡＡ、ＤＡＢにより、１の記録媒体でなる光ディスク１に記録され、これによりこれら符号化データＤＶＡ、ＤＶＢによる素材、オーディオデータＤＡＡ、ＤＡＢによる素材を一元的に管理することができるようになり、従来の磁気テープによる場合に比して素材の管理が簡略化される。
【００６８】
さらにこのようにして光ディスク１への符号化データＤＶＡ、ＤＶＢ、オーディオデータＤＡＡ、ＤＡＢの記録が完了すると、システム制御回路１５により管理用データ１６が生成され、この管理用データ１６が光ディスク１のシステムデータ領域ＡＲＳに記録される。これにより光ディスク１に記録した複数の素材について、履歴等の管理用データ１６についても、同一の光ディスク１に記録され、これら素材の管理が一段と簡略化される。
【００６９】
すなわちこの光ディスク１は、収録現場において、光ディスク装置２０により編集される（図３）。またこの光ディスク装置２０から取材内容を放送局に伝送して、又は収録現場より放送局に光ディスク１を持ち帰って、例えば同様の光ディスク装置により編集される。さらに必要に応じて編集結果を送出する。
【００７０】
すなわち光ディスク装置２０においては（図３）、光ディスク１が装填されると、光ピックアップ２２が光ディスク１の内周側にシークし、内周側のシステムデータ領域ＡＲＳに記録された管理用データ１６がシステム制御回路２３に取得され、これによりシステム制御回路２３において、光ディスク１に記録された符号化データＤＶＡ、ＤＶＢ、オーディオデータＤＡＡ、ＤＡＢの記録位置情報、履歴等が取得される。
【００７１】
この履歴によりオペレータが所望のビデオ信号、オーディオ信号の再生を指示すると、光ディスク装置２０では、角速度一定の条件により高速度で光ディスク１が回転駆動された状態で、光ピックアップ２２が対応する領域にシークし、オペレータの所望する領域より記録時に比して高転送速度の再生信号ＲＦが再生される。さらにこの再生信号ＲＦが再生データに変換され、この再生データより符号化データ、オーディオデータが復号されてメモリ２６に格納される。
【００７２】
このメモリ２６に所定量だけ符号化データ又はオーディオデータが蓄積されると、光ピックアップ２２がシークし、このメモリ２６に蓄積したデータに対応するオーディオデータ又は符号化データが、同様にして光ディスク１より再生されてメモリ２６に蓄積される。
【００７３】
この符号化データ、オーディオデータの再生が、交互に繰り返されて、光ディスク装置２０では、間欠的にかつ高転送速度により、オペレータの選択した解像度、音質による符号化データ、オーディオデータが光ディスク１より再生されて、メモリ２６に蓄積される。
【００７４】
このような符号化データ、オーディオデータの蓄積と平行して、光ディスク装置２０では、メモリ２６に蓄積された符号化データ及びオーディオデータがそれぞれ連続するデータ列により、データ伸長回路２８、デパッキング回路２９に出力され、オペレータの所望する解像度、音質によるビデオ信号ＳＶＡ又はＳＶＢ、オーディオ信号ＳＡＡ又はＳＡＢが再生される。
【００７５】
これによりオペレータにおいて、この再生されたビデオ信号ＳＶＡ又はＳＶＢ、オーディオ信号ＳＡＡ又はＳＡＢにより編集点が順次設定され、システム制御回路１５によりこの編集点による編集リスト３３が作成される。
【００７６】
さらにこのようにして編集リスト３３を作成してオペレータがプレビューを指示すると、光ディスク装置２０では、編集リスト３３に従った順序により、光ピックアップ２２がシークし、上述した再生時と同様に、編集リスト３３による順序で、光ディスク１より間欠的に、高転送速度により、符号化データ、オーディオデータが交互に再生される。さらに再生された符号化データ、オーディオデータがメモリ２６に一時蓄積され、連続したデータ列によりデータ伸長回路２８、デパッキング回路２９に出力され、これにより編集リストに従った順序により再生されたビデオ信号及びオーディオ信号が出力される。
【００７７】
これによりオペレータにおいては、１枚の光ディスクを管理して、この１枚の光ディスク１を光ディスク装置２０に装填して編集点を設定するだけの簡易なハンドリングにより、取材結果を編集することができ、また編集結果を確認することができる。
【００７８】
かくしてこの編集結果により必要に応じて、改めて編集作業が実行され、光ディスク装置２０においては、オペレータによる編集点の変更に対応してシステム制御回路１５により編集リスト３３が更新される。また編集リスト３３が確定すると、オペレータの操作に応動したシステム制御回路１５の制御により、光ピックアップ２２が光ディスク１のシステムデータ領域ＡＲＳにシークし、ＺＣＬＶにより光ディスク１を回転駆動した状態で、この編集リスト３３がシステムデータ領域ＡＲＳに記録される。
【００７９】
これによりこの光ディスク１では、この光ディスク１をオンラインの光ディスク装置に装填し、この光ディスク１に記録された編集リストに従って光ディスク１の素材を再生することにより、編集結果をオンライン出力することができ、結局、取材から番組送出までの過程を１の記録媒体により実行することができる。また取材現場において、この光ディスク装置２０により編集リストに従って符号化データＤＶＡ、オーディオデータＤＡＡを再生して、外部機器を介してＳＮＧ回線に送出することにより、同様に、取材から番組送出までの過程を１の記録媒体により実行することができる。これらにより従来の素材テープ、作業用テープの内容、編集リストを一体にハンドリングすることができ、その分素材の管理、ハンドリングを向上することができる。
【００８０】
これに対して外部に接続したパーソナルコンピュータにより編集リストを作成し、またこのパーソナルコンピュータの制御による編集リストを作成する場合、光ディスク装置２０では、データ伸長回路２８から出力されるビデオデータ、デパッキング回路２９より出力されるオーディオデータがパーソナルコンピュータに出力される。このとき光ディスク装置２０では、光ディスク１に記録された低解像度によるビデオデータＤＶＢ１、低音質によるオーディオデータＤＡＢ１が選択的に再生されてパーソナルコンピュータに出力される。
【００８１】
これによりパーソナルコンピュータに対して、低転送レートによるビデオデータＤＶＢ１、オーディオデータＤＡＢ１が提供されることになり、簡易な構成によるパーソナルコンピュータにより、これらビデオデータＤＶＢ１、オーディオデータＤＡＢ１を取り扱って編集点を設定することができる。すなわちこのように低解像度によるビデオデータＤＶＢ１、低音質によるオーディオデータＤＡＢ１においては、動作速度の低い簡易な構成によるパーソナルコンピュータにおいても、簡易に取り扱うことができ、また編集点における遷移（ワイプ等）を確認することができる。
【００８２】
光ディスク装置２０では、パーソナルコンピュータにおいて編集リスト３３が作成されると、この編集リスト３３を取り込んで必要に応じてプレビューの処理を実行し、この光ディスク装置２０で編集リスト３３を作成した場合と同様にして光ディスク１に編集リスト３３を記録し、またこの編集リスト３３に従って編集結果を送出する。またパーソナルコンピュータの制御により編集リスト３３を作成する場合も、同様にして光ディスク１に編集リスト３３を記録し、またこの編集リスト３３に従って編集結果を送出する。
【００８３】
これに対して放送局において、取材内容を確認し、例えばオンエアの時間が迫っている場合等に、放送局に光ディスク１を放送局に持ち帰る前に編集リストを作成する場合、光ディスク装置２０では、光ディスク１より低解像度による符号化データＤＶＢ、低音質によるオーディオデータＤＡＢが再生され、メモリ２６に蓄積される。さらにこのメモリ２６に蓄積された符号化データＤＶＢ、オーディオデータＤＡＢが、モデム３０を介して伝送される。このとき光ディスク装置２０では、低解像度による符号化データＤＶＢ、低音質によるオーディオデータＤＡＢを送出することにより、低転送速度により取材した内容を伝送しても、短い時間により伝送することが可能となる。
【００８４】
これにより例えば電話回線でなる一般の通信線路を用いて取材内容を簡易に伝送することができる。またこのとき管理用データ１６が併せて伝送され、これによりこの光ディスク装置２０における編集条件と同様の条件が放送局に形成され、あたかも放送局において、光ディスク１を編集するかのような環境が形成される。
【００８５】
これにより放送局において、編集リストが作成されると、この編集システムでは、光ディスク１を持ち帰って、この編集リストにより高解像度のビデオ信号、高音質のオーディオ信号が再生され、放送に供される。
【００８６】
また放送局より送出された編集リストがモデム３０により取得され、光ディスク装置２０で、この編集リスト３３に従って高解像度のビデオ信号、高音質のオーディオ信号が再生され、ＳＮＧ回線等を介して放送局に送出される。これらにより取材した内容を迅速に処理して、従来に比して格段的にハンドリングを向上することができる。
（１−３）第１の実施例の効果
以上の構成によれば、１のビデオ信号を異なる解像度の符号化データＤＶＡ、ＤＶＢにより光ディスク１に記録し、またこのビデオ信号に対応するオーディオ信号を異なる音質によるオーディオデータＤＡＡ、ＤＡＢにより光ディスク１に記録することにより、編集作業用の低解像度のビデオ信号、低音質のオーディオ信号と、放送用の高解像度のビデオ信号、高音質のオーディオ信号とを１の記録媒体により管理することができ、その分素材の管理、ハンドリングを簡略化することができる。
【００８７】
さらにこの編集作業用の低解像度のビデオ信号、低音質のオーディオ信号を必要に応じて簡易な通信路により伝送することができ、これにより取材からオンラインまでを短い時間により実行することができる。
【００８８】
またこの低解像度のビデオ信号、低音質のオーディオ信号を簡易な構成のコンピュータにより処理することもでき、これにより素材の管理、ハンドリングを簡略化して、種々のシステムにより編集処理することができる。
【００８９】
またこれに伴う管理用データ、編集リストをも伝送することにより、取材した内容を迅速に処理して、従来に比して格段的にハンドリングを向上することができる。
【００９０】
またこの光ディスク１に管理用データを記録し、さらには編集リストを記録することにより、取材から放送までの過程を、１の記録媒体により管理することができ、その分素材の管理、ハンドリングを簡略化することができる。
【実施例２】
【００９１】
なお上述の実施例においては、１チャンネルのビデオ信号及びオーディオ信号を光ディスクに記録する場合について述べたが、本発明はこれに限らず、２チャンネル以上のビデオ信号、オーディオ信号を同時並列的に記録する場合にも広く適用することができる。
【００９２】
またビデオ信号を２種類の解像度により、オーディオ信号を２種類の音質により記録する記録する場合について述べたが、本発明はこれに限らず、必要に応じて複数段階の解像度、音質により記録してもよい。
【００９３】
さらに上述の実施例においては、光ディスクの情報記録面を同心円状に小領域に分割し、高解像度の符号化データ、低解像度の符号化データに各小領域を順次割り当てる場合について述べたが、本発明はこれに限らず、例えば誤り訂正処理単位、データ圧縮単位により時分割多重化した符号化データ、オーディオデータを、この時分割多重化したデータストリームによりそのまま光ディスクに記録して、解像度の異なる符号化データを光ディスクに記録してもよい。
【００９４】
また上述の実施例においては、１の光ピックアップにより記録再生する場合について述べたが、本発明はこれに限らず、複数の光ピックアップによりそれぞれオーディオ信号及びビデオ信号を再生するようにしてもよい。
【００９５】
また上述の実施例においては、外周側よりビデオ信号及びオーディオ信号を順次循環的に記録する場合について述べたが、本発明はこれに限らず、十分なデータ転送速度を確保できる場合には、面ぶれ等が少なく安定してデータを再生することができる内周側より記録してもよく、またアドレス管理との関係で、一定領域を間に挟んで離散的に記録してもよい。
【００９６】
さらに上述の実施例においては、最内周にシステムデータ領域を形成する場合について述べたが、本発明はこれに限らず、必要に応じて種々の領域に設定することができる。また同様に、システムデータ領域についても、種々の領域に設定することができる。
【００９７】
さらに上述の実施例においては、ＺＣＬＶの条件により光ディスクを駆動してディジタルビデオ信号等を記録し、角速度一定の条件により再生する場合について述べたが、本発明はこれに限らず、例えばディスク状記録媒体として光磁気ディスクを適用する場合であって、かつ十分な記録容量を確保できる場合には、記録再生の双方において角速度一定の条件により光ディスクを駆動してもよい。また相変化型の光ディスクを用いる場合でも、レーザー光量の制御により内周側と外周側とで相違する線速度によっても確実に所望のデータを記録できる場合、記録再生の双方において角速度一定の条件により光ディスクを駆動してもよい。
【００９８】
また上述の実施例においては、ディジタルビデオ信号をＭＰＥＧによりデータ圧縮して光ディスクに記録する場合について述べたが、本発明はこれに限らず、種々の手法によりデータ圧縮して記録する場合にも広く適用することができる。
【００９９】
さらに上述の実施例においては、両面に記録可能な相変化型の光ディスクにディジタルビデオ信号及びディジタルオーディオ信号を記録する場合について述べたが、本発明はこれに限らず、両面に記録可能な光磁気ディスク、ライトワンス型の光ディスクを使用してもよく、十分な記録容量を確保できる場合、片面だけを使用するようにしてもよい。
【０１００】
また上述の実施例においては、テレビジョンカメラにより解像度の異なる符号化データ、音質の異なるオーディオデータを記録する場合について述べたが、本発明はこれに限らず、例えば取材現場に光ディスク装置を携帯してこの光ディスク装置により解像度の異なる符号化データ、音質の異なるオーディオデータを記録してもよい。
【産業上の利用可能性】
【０１０１】
本発明は、例えば取材現場で、テレビジョンカメラより得られるビデオ信号を処理するフィールド編集システムに適用することができる。
【図面の簡単な説明】
【０１０２】
【図１】本発明の第１の実施例に係るテレビジョンカメラを示すブロック図である。
【図２】図１のテレビジョンカメラに適用される光ディスクを示す平面図である。
【図３】図２の光ディスクを編集する光ディスク装置を示すブロック図である。
【符号の説明】
【０１０３】
１……光ディスク、２……テレビジョンカメラ、３、２２……光ピックアップ、７Ａ、７Ｂ……データ圧縮回路、１０、２７……メモリ制御回路、１１、２６……メモリ、１５、２３……システム制御回路、２０……光ディスク装置、２８……データ伸長回路、ＡＲＳ……システムデータ領域、ＡＲＵ……ユーザー領域
【図１】
2006197615.tif 000003
【図２】
2006197615.tif 000004
【図３】
2006197615.tif 000005